(57)【特許請求の範囲】
【請求項１】
通信チャネルを介して送信局から端末局へデータが配信されるデータ配信システムにおいて、
上記送信局は、
上記データを符号化ストリームに符号化するエンコーダ部と、上記端末局に対して上記通信チャネルを指定するための制御データを生成する制御データ生成部と、上記符号化ストリームと上記制御データとを１本の多重ストリームに多重する多重部と、上記多重ストリームを上記通信チャネルへ送信する送信インタフェース部とから構成され、上記端末局に対して復旧用の通信チャネルを指定するための復旧用制御データをデフォルト通信チャネルへ送信するとともに、上記端末局に対して上記デフォルト通信チャネルを指定するためのデフォルト指定データ、または上記デフォルト通信チャネルに割り当てたインデックスを制御データ生成部が制御データに含めて生成し、
上記端末局は、
上記通信チャネルから上記多重ストリームを受信する受信インタフェース部と、上記受信インタフェース部で受信した多重ストリームから上記符号化ストリームと上記制御データとを分離する分離部と、上記分離部で分離した上記符号化ストリームから上記データを復号するデコーダ部と、上記分離部で分離した上記制御データにしたがって、上記受信インタフェース部に上記通信チャネルを受信させる通信チャネル制御部とから構成され、同期の取れない状態に陥ると、上記デフォルト指定データの指定する上記デフォルト通信チャネル、または上記インデックスが割り当てられた上記デフォルト通信チャネルを通信チャネル制御部が受信インタフェース部に受信させて上記復旧用制御データを取得し、上記復旧用制御データの示す上記通信チャネルを通信チャネル制御部が受信インタフェース部に受信させることを特徴とするデータ配信システム。
【請求項２】
送信局では、
制御データ生成部が時間閾値、または上記時間閾値に割り当てたインデックスをデフォルト指定データに含めて生成し、
端末局では、
上記時間閾値、または上記インデックスが割り当てられた上記時間閾値を超えて同期の取れない状態が継続した場合に、通信チャネル制御部が受信インタフェース部にデフォルト通信チャネルを受信させることを特徴とする請求項１記載のデータ配信システム。
【発明の詳細な説明】
【０００１】
【発明の属する技術分野】
この発明は、通信チャネルを通して送信局から端末局へデータを配信するデータ配信システム、送信局および端末局に係るものであり、特に送信局からの制御データによる端末局の通信チャネルの制御に関するものである。
【０００２】
【従来の技術】
図３は従来のデータ配信システムの構成を示す図である。このデータ配信システムは、例えば特開平１１−１８７３７８号公報に開示されている。図３において、１１０は送信局、１２０は端末局である。
【０００３】
送信局１１０において、１１１−１〜１１１−ｎは映像や音声などのメディアデータを符号化して符号化ストリームＣ１〜Ｃｎをそれぞれ出力するエンコーダ部、１１２は端末局１２０での受信動作を制御するための制御データＤを生成する制御データ生成部、１１３は符号化ストリームＣ１〜Ｃｎを多重して１本の多重ストリームＳｃを出力する多重部である。
【０００４】
また、送信局１１０において、１１４は多重ストリームＳｃを伝送路へ送信するために変調処理を行なって変調信号Ｗｃ（搬送波周波数Ｆｃ，伝送帯域ΔＦｃ）を出力する変調部、１１５は制御データＤを伝送路へ送信するために変調処理を行なって変調信号Ｗｄ（搬送波周波数Ｆｄ，伝送帯域ΔＦｄ）を出力する制御データ変調部、１１６は変調信号Ｗｃおよび変調信号Ｗｄを周波数多重して搬送波Ｗｃ＋Ｗｄを出力する混合部である。
【０００５】
一方、端末局１２０において、１２１は搬送波Ｗｃ＋Ｗｄから所望の通信チャネルを選択するチューナ部、１２２はチューナ部１２１で選択した通信チャネルの復調を行なって多重ストリームＳｃを出力する復調部、１２３は多重ストリームＳｃから所望の符号化ストリームＣ１〜Ｃｎを分離する分離部、１２４は分離部１２３で分離した符号化ストリームＣ１〜Ｃｎを復号するデコーダ部である。
【０００６】
また、端末局１２０において、１２５は搬送波Ｗｃ＋Ｗｄから制御データＤの通信チャネルを選択して制御データＤを復調する制御データ復調部、１２６は復調した制御データＤに基づいて端末局１２０の受信動作の制御を行なう通信チャネル制御部である。
【０００７】
次に動作について説明する。
送信局１１０では、エンコーダ部１１１−１〜１１１−ｎが映像や音声などのメディアデータを符号化し、符号化ストリームＣ１〜Ｃｎを多重部１１３へ出力する。多重部１１３は符号化ストリームＣ１〜Ｃｎを多重して１本の多重ストリームＳｃを生成し、変調部１１４は多重ストリームＳｃを伝送路へ送信するために変調して変調信号Ｗｃを出力する。
【０００８】
制御データ生成部１１２は、端末局１２０の受信動作を制御するための制御データＤを生成し、制御データ変調部１１５が制御データＤを伝送路へ送信するために変調して変調信号Ｗｄを出力する。変調部１１４および制御データ変調部１１５で変調された変調信号Ｗｃ，Ｗｄは混合部１１６で周波数多重され、搬送波Ｗｃ＋Ｗｄとして伝送路へ送信される。
【０００９】
端末局１２０では、伝送路を介して搬送波Ｗｃ＋Ｗｄを受信すると、チューナ部１２１が搬送波Ｗｃ＋Ｗｄから所望の通信チャネルを選択し、復調部１２２によって復調処理を実施する。さらに復調した信号を分離部１２３により多重ストリームＳｃの中から所望の符号化ストリームＣ１〜Ｃｎを分離する。デコーダ部１２４は分離部１２３で分離した符号化ストリームＣ１〜Ｃｎを復号し、映像や音声などのメディアデータを出力する。また、制御データ復調部１２５は搬送波Ｗｃ＋Ｗｄから制御データＤの通信チャネルを選択して制御データＤを復調し、通信チャネル制御部１２６はこの制御データＤに基づいてチューナ部１２１の受信動作を制御する。
【００１０】
図４は変調信号ＷｃのスペクトルＸｃ，変調信号ＷｄのスペクトルＸｄ，搬送波Ｗｃ＋ＷｄのスペクトルＸｃ＋Ｘｄをそれぞれ模式的に示す図である。図４（ａ），（ｂ），（ｃ）はスペクトルＸｃ，スペクトルＸｄ，スペクトルＸｃ＋Ｘｄをそれぞれ表している。
【００１１】
図４（ｃ）から分かるように、スペクトルＸｃ＋Ｘｄは、スペクトルＸｃの伝送帯域ΔＦｃに加えて、スペクトルＸｄの伝送帯域ΔＦｄを有している。このように、従来のデータ配信システムでは、送信局１１０から端末局１２０へ搬送波Ｗｃ＋Ｗｄを送信するには、制御データＤを伝送するための伝送帯域ΔＦｄを割当てる必要があり、周波数帯域の利用効率が悪い。
【００１２】
【発明が解決しようとする課題】
従来のデータ配信システムは以上のように構成されているので、制御データを伝送するための周波数帯域を割当てる必要があり、周波数帯域の利用効率が悪いという課題があった。
【００１３】
また、従来のデータ配信システムは、送信局の制御データ変調部と端末局の制御データ復調部とが必要となり、送信局および受信局の構成が複雑になってしまうとともに、余分なコストが発生してしまうという課題があった。
【００１４】
この発明は上記のような課題を解決するためになされたもので、制御データを伝送するための伝送帯域を割当てることなく、周波数帯域の利用効率を向上することが可能なデータ配信システム、送信局および端末局を提供することを目的とする。
【００１５】
また、この発明は、送信局の制御データ変調部や端末局の制御データ復調部を必要とせず、送信局および受信局の構成を簡略化でき、不要なコストを削減することが可能なデータ配信システム、送信局および端末局を提供することを目的とする。
【００１６】
【課題を解決するための手段】
この発明に係るデータ配信システムは、データを符号化ストリームに符号化するエンコーダ部と、端末局に対して通信チャネルを指定するための制御データを生成する制御データ生成部と、符号化ストリームと制御データとを１本の多重ストリームに多重する多重部と、多重ストリームを通信チャネルへ送信する送信インタフェース部とから送信局が構成され、送信局では、端末局に対して復旧用の通信チャネルを指定するための復旧用制御データをデフォルト通信チャネルへ送信するとともに、端末局に対してデフォルト通信チャネルを指定するためのデフォルト指定データ、またはデフォルト通信チャネルに割り当てたインデックスを制御データ生成部が制御データに含めて生成し、通信チャネルから多重ストリームを受信する受信インタフェース部と、受信インタフェース部で受信した多重ストリームから符号化ストリームと制御データとを分離する分離部と、分離部で分離した符号化ストリームからデータを復号するデコーダ部と、分離部で分離した制御データにしたがって、受信インタフェース部に通信チャネルを受信させる通信チャネル制御部とから端末局が構成され、端末局では、同期の取れない状態に陥ると、デフォルト指定データの指定するデフォルト通信チャネル、またはインデックスが割り当てられたデフォルト通信チャネルを通信チャネル制御部が受信インタフェース部に受信させて復旧用制御データを取得し、復旧用制御データの示す通信チャネルを通信チャネル制御部が受信インタフェース部に受信させるようにしたものである。
【００２４】
この発明に係るデータ配信システムは、送信局では、制御データ生成部が時間閾値、または時間閾値に割り当てたインデックスをデフォルト指定データに含めて生成し、端末局では、時間閾値、またはインデックスが割り当てられた時間閾値を超えて同期の取れない状態が継続した場合に、通信チャネル制御部が受信インタフェース部にデフォルト通信チャネルを受信させるようにしたものである。
【００２７】
【発明の実施の形態】
以下、この発明の実施の一形態を説明する。
実施の形態１．
図１はこの発明の実施の形態１によるデータ配信システムの構成を示す図である。図１において、１０は送信局、２０は端末局である。
【００２８】
送信局１０において、１１−１〜１１−ｎは映像や音声などのメディアデータを符号化して符号化ストリームＣ１〜Ｃｎをそれぞれ出力するエンコーダ部、１２は端末局２０で受信する通信チャネルを制御するための制御データＤを生成する制御データ生成部、１３は符号化ストリームＣ１〜Ｃｎと制御データＤとを多重して１本の多重ストリームＳｃｄを出力する多重部、１４は多重ストリームＳｃｄを伝送路へ送信するために変調処理を行なって搬送波Ｗｃｄ（搬送波周波数Ｆｃｄ，伝送帯域ΔＦｃｄ）を出力する送信インタフェース部である。
【００２９】
また、端末局２０において、２１は搬送波Ｗｃｄから所望の通信チャネルを選択して多重ストリームＳｃｄを出力する受信インタフェース部、２２は多重ストリームＳｃｄから所望の符号化ストリームＣ１〜Ｃｎと制御データＤとを分離する分離部、２３は分離部２２で分離した符号化ストリームＣ１〜Ｃｎを復号するデコーダ部、２４は分離部２２で分離した制御データＤにしたがって受信インタフェース部２１の通信チャネルを制御する通信チャネル制御部である。
【００３０】
次に動作について説明する。
送信局１０では、エンコーダ部１１−１〜１１−ｎが映像や音声などのメディアデータを符号化し、それぞれ符号化ストリームＣ１〜Ｃｎを多重部１３へ出力する。また、制御データ生成部１２は、端末局２０の通信チャネルを制御するための制御データＤを生成する。ここでは、搬送波Ｗｃｄの搬送波周波数Ｆｃｄ，伝送帯域ΔＦｃｄを制御データＤによって端末局２０へ通知するものとする。多重部１３は符号化ストリームＣ１〜Ｃｎと制御データＤとを多重して１本の多重ストリームＳｃｄを生成し、送信インタフェース部１４は多重ストリームＳｃｄを伝送路へ送信するために変調して搬送波Ｗｃｄを伝送路へ出力する。
【００３１】
端末局２０では、伝送路を介して搬送波Ｗｃｄを受信すると、受信インタフェース部２１が搬送波Ｗｃｄから所望の通信チャネルを選択し、さらに復調処理を実施して多重ストリームＳｃｄを出力する。分離部２２は多重ストリームＳｃｄから所望の符号化ストリームＣ１〜Ｃｎと制御データＤとを分離する。デコーダ部２３は分離部２２で分離した符号化ストリームＣ１〜Ｃｎを復号し、映像や音声などのメディアデータを出力する。
【００３２】
また、通信チャネル制御部２４は、分離部２２で分離した制御データＤに基づいて受信インタフェース部２１の通信チャネルを制御する。つまり、通信チャネル制御部２４は、搬送波Ｗｃｄの搬送波周波数Ｆｃｄ，伝送帯域ΔＦｃｄを制御データＤから認識して、受信インタフェース部２１の通信チャネルを調整する。
【００３３】
図２は搬送波ＷｃｄのスペクトルＸｃｄを模式的に示す図である。
この実施の形態１では、送信局１０において、符号化ストリームＣ１〜Ｃｎと制御データＤとを多重部１３で一括多重して多重ストリームＳｃｄを生成し、送信インタフェース部１４で多重ストリームＳｃｄから搬送波Ｗｃｄを生成するようにしているので、図２に示すように、スペクトルＸｃｄは、制御データＤを伝送するための伝送帯域が不要になっている。したがって、従来のデータ配信システムと比較して、周波数帯域を効率良く利用できるようになっている。
【００３４】
また、上記の送信局１０の構成に加えて、端末局２０では、受信インタフェース部２１で搬送波Ｗｃｄから多重ストリームＳｃｄを復調し、符号化ストリームＣ１〜Ｃｎと制御データＤとを分離部２２で分離しているので、制御データ変調部および制御データ復調部を必要としていない。したがって、従来のデータ配信システムと比較して、送信局１０および端末局２０の構成を簡略化することができ、不要なコストを削減できるようになっている。
【００３５】
なお、制御データＤによる端末局２０の受信チャネル制御は、搬送波Ｗｃｄの搬送波周波数Ｆｃｄ，伝送帯域ΔＦｃｄの通知による通信チャネルの制御に限定されるものではない。
【００３６】
また、具体的数値としての搬送波周波数Ｆｃｄ，伝送帯域ΔＦｃｄを制御データＤによって端末局２０へ通知するのではなく、ある離散的な数値（インデックス）を用いて通知するようにしても良い。
【００３７】
例えば衛星通信システムでは、使用できる周波数帯域をトランスポンダ単位に分割（例えば３６ＭＨｚ帯域）し、さらにトランスポンダをあるスロット（搬送波の伝送帯域でトランスポンダを分割）に分割し、トランスポンダ、伝送帯域幅、スロットにインデックスを予め割り当てて使用する。
【００３８】
この例と同様に、データ配信システムで使用される各通信チャネル（または搬送波周波数Ｆｃｄ、伝送帯域ΔＦｃｄ）に異なるインデックスを予め割り当てておき、このインデックスを制御データＤとして制御データ生成部１２が生成し、受信した制御データＤのインデックスが割り当てられた通信チャネル（または搬送波周波数Ｆｃｄ，伝送帯域ΔＦｃｄ）を受信するように、受信インタフェース部２１を通信チャネル制御部２４が制御する。このようにすることで、送信局１０から送信する制御データＤのデータ量を軽減できるという効果が得られる。
【００３９】
さらに、配信するデータは映像や音声などのメディアデータに限らず、他のデータを配信するようにしてももちろん良い。加えて、送信局１０や端末局２０の数、通信チャネルの数は特に限定されるものではない。
【００４０】
以上のように、この実施の形態１によれば、映像や音声などのメディアデータを符号化ストリームＣ１〜Ｃｎに符号化するエンコーダ部１１−１〜１１−ｎと、端末局２０に対して通信チャネルを指定するための制御データＤを生成する制御データ生成部１２と、符号化ストリームと制御データＤとを１本の多重ストリームＳｃｄに多重する多重部１３と、多重ストリームＳｃｄを搬送波Ｗｃｄとして通信チャネルへ送信する送信インタフェース部１４とから送信局１０が構成され、通信チャネルの搬送波Ｗｃｄから多重ストリームＳｃｄを受信する受信インタフェース部２１と、受信インタフェース部２１で受信した多重ストリームＳｃｄから符号化ストリームと制御データＤとを分離する分離部２２と、分離部２２で分離した符号化ストリームからデータを復号するデコーダ部２３と、分離部２２で分離した制御データＤにしたがって、受信インタフェース部２１に通信チャネルの搬送波Ｗｃｄを受信させる通信チャネル制御部２４とから端末局２０が構成されるようにしたので、制御データＤを伝送するための伝送帯域が不要になって周波数帯域の利用効率を向上できるという効果が得られ、加えて、制御データＤを変調・復調するための構成を送信局１０や端末局２０に設ける必要がなくなり、送信局１０，端末局２０の構成を簡略化でき、コストを軽減できるという効果が得られる。
【００４１】
また、この実施の形態１によれば、送信局１０では、通信チャネルの搬送波周波数Ｆｃｄおよび伝送帯域ΔＦｃｄによって、制御データ生成部１２が制御データＤを生成するようにしたので、このことにより、端末局２０における通信チャネルの受信を確実に行なうことができるという効果が得られる。
【００４２】
さらに、この実施の形態１によれば、送信局１０では、異なる通信チャネルにそれぞれ割り当てられたインデックスによって、制御データ生成部１２が制御データＤを生成するようにしたので、送信局１０から送信する制御データＤのデータ量を軽減して、端末局２０における通信チャネルの受信を確実に行なうことができるという効果が得られる。
【００４３】
実施の形態２．
実施の形態１で説明した制御データＤに時刻データＴを含めるようにして、時刻データＴの示す時刻に制御データＤの示す通信チャネルを端末局２０で受信させるようにしても良い。以下、この手法について説明する。なお、この実施の形態２によるデータ配信システムは、実施の形態１（図１）と同様の構成であるため図示を省略する。
【００４４】
次に動作について説明する。
送信局１０では、エンコーダ部１１−１〜１１−ｎが映像や音声などのメディアデータを符号化し、それぞれ符号化ストリームＣ１〜Ｃｎを多重部１３へ出力する。また、制御データ生成部１２は、端末局２０の通信チャネルを制御するための制御データＤを生成するとともに、通信チャネルの変更時刻を端末局２０に指定する時刻データＴを生成し、制御データＤに時刻データＴを含めて多重部１３へ出力する。多重部１３は符号化ストリームＣ１〜Ｃｎと制御データＤとを多重して１本の多重ストリームＳｃｄを生成し、送信インタフェース部１４は多重ストリームＳｃｄを伝送路へ送信するために変調して搬送波Ｗｃｄを伝送路へ出力する。
【００４５】
端末局２０では、伝送路を介して搬送波Ｗｃｄを受信すると、受信インタフェース部２１が搬送波Ｗｃｄから所望の通信チャネルを選択し、さらに復調処理を実施して多重ストリームＳｃｄを出力する。分離部２２は多重ストリームＳｃｄから所望の符号化ストリームＣ１〜Ｃｎと制御データＤとを分離する。デコーダ部２３は分離部２２で分離した符号化ストリームＣ１〜Ｃｎを復号し、映像や音声などのメディアデータを出力する。
【００４６】
また、通信チャネル制御部２４は、分離部２２で分離した制御データＤに基づいて受信インタフェース部２１の通信チャネルを制御する。つまり、通信チャネル制御部２４は、搬送波Ｗｃｄの搬送波周波数Ｆｃｄ，伝送帯域ΔＦｃｄを制御データＤから認識し、時刻データＴで指定された時刻に、搬送波周波数Ｆｃｄ，伝送帯域ΔＦｃｄの通信チャネルへ受信を変更するように受信インタフェース部２１を制御する。
【００４７】
このように、制御データＤに時刻データＴを含め、端末局２０における通信チャネルとその受信変更時刻とを送信局１０で制御することにより、特に複数の搬送波Ｗｃｄを使ってデータ配信システムを運用している場合に、端末局２０側の通信チャネル制御（何時、どのチャネルを見させるか）を送信局１０側で行なうことが可能になり、きめ細かなデータ配信が可能になる。
【００４８】
なお、以上の説明では、端末局２０での通信チャネルの受信変更時刻を時刻データＴで指定するようにしたが、次の２つのようにしても良く、同様の効果が得られる。
【００４９】
端末局２０での通信チャネルの受信変更を時刻データＴで即時実行させる。これは例えば時刻データＴとして実際にあり得ない時刻（２５時００分など）を時刻データＴとして、この時刻データＴを受信した場合には、制御データＤの指定する通信チャネルへ端末局２０が受信を即時切り替える。
【００５０】
通信チャネル（制御データＤ）とその通信チャネルの受信変更時刻（時刻データＴ）との２つのデータペアを複数組送信し、端末局２０側では、複数組の通信チャネルと通信チャネルの受信変更時刻とに順次したがって通信チャネルをシーケンシャルに変更していく。
【００５１】
以上のように、この実施の形態２によれば、送信局１０では、端末局２０に対して通信チャネルの受信変更時刻を指定するための時刻データＴを制御データ生成部１２が制御データＤに含めて生成し、端末局２０では、時刻データＴの指定する受信変更時刻に、制御データＤの指定する通信チャネルを通信チャネル制御部２４が受信インタフェース部２１に受信させるようにしたので、きめ細かなデータ配信を行なうことができるという効果が得られる。
【００５２】
また、この実施の形態２によれば、送信局１０では、端末局２０に対して通信チャネルの受信即時変更を指定するための時刻データＴを制御データ生成部１２が制御データＤに含めて生成し、端末局２０では、時刻データＴを受信すると、制御データＤの指定する通信チャネルを通信チャネル制御部２４が受信インタフェース部２１に受信させるようにしたので、きめ細かなデータ配信を行なうことができるという効果が得られる。
【００５３】
さらに、この実施の形態２によれば、送信局１０では、端末局２０に対して通信チャネルの受信変更時刻を指定するための時刻データＴを制御データ生成部１２が制御データＤに含めて複数組生成し、端末局２０では、時刻データＴの指定する受信変更時刻毎に、制御データＤの指定する通信チャネルを通信チャネル制御部２４が受信インタフェース部２１に順次受信させるようにしたので、きめ細かなデータ配信を行なうことができるという効果が得られる。
【００５４】
実施の形態３．
制御データＤが有効になる端末局２０をＩＤ指定（端末をＩＤによって識別する）するＩＤデータＩを制御データＤに含めるようにしても良い。以下、この手法について説明する。なお、この実施の形態３によるデータ配信システムは、実施の形態１（図１）と同様の構成であるため図示を省略する。
【００５５】
次に動作について説明する。
送信局１０では、エンコーダ部１１−１〜１１−ｎが映像や音声などのメディアデータを符号化し、それぞれ符号化ストリームＣ１〜Ｃｎを出力する。また、制御データ生成部１２は、端末局２０の通信動作を制御するための制御データＤを生成するとともに、制御データＤが有効になる端末局２０をＩＤ指定するＩＤデータＩを生成し、制御データＤにＩＤデータＩを含めて多重部１３へ出力する。多重部１３は符号化ストリームＣ１〜Ｃｎと制御データＤとを多重して１本の多重ストリームＳｃｄを生成し、送信インタフェース部１４は多重ストリームＳｃｄを伝送路へ送信するために変調して搬送波Ｗｃｄを伝送路へ出力する。
【００５６】
端末局２０では、伝送路を介して搬送波Ｗｃｄを受信すると、受信インタフェース部２１が搬送波Ｗｃｄから所望の通信チャネルを選択し、さらに復調処理を実施して多重ストリームＳｃｄを生成する。分離部２２は多重ストリームＳｃｄから所望の符号化ストリームＣ１〜Ｃｎと制御データＤとを分離する。デコーダ部２３は分離部２２で分離した符号化ストリームＣ１〜Ｃｎを復号し、映像や音声などのメディアデータを出力する。
【００５７】
また、通信チャネル制御部２４は、分離部２２で分離した制御データＤに基づいて受信インタフェース部２１の通信チャネルを制御する。つまり、通信チャネル制御部２４は、制御データＤ中のＩＤデータＩが端末局２０自身をＩＤ指定するものであれば、搬送波Ｗｃｄの搬送波周波数Ｆｃｄ，伝送帯域ΔＦｃｄを制御データＤから認識し、搬送波周波数Ｆｃｄ，伝送帯域ΔＦｃｄの通信チャネルへ受信を変更するように受信インタフェース部２１を制御する。
【００５８】
ＩＤデータＩを使用することにより、端末局２０毎に異なった制御データＤｉ（ｉは端末局２０のＩＤ番号）を設定できるようになり、時刻データＴの場合と同様に端末局２０の通信チャネルをきめ細かに制御できる。また、未契約によってＩＤを取得していない端末局２０の受信を排除可能になる。
【００５９】
以上のように、この実施の形態３によれば、送信局１０では、端末局２０をＩＤ指定するためのＩＤデータＩを制御データ生成部１２が制御データＤに含めて生成し、端末局２０では、ＩＤデータＩが端末局２０自身をＩＤ指定する場合に、制御データＤの指定する通信チャネルを通信チャネル制御部２４が受信インタフェース部２１に受信させるようにしたので、端末局２０の通信チャネルをきめ細かに制御できるという効果が得られ、未契約によってＩＤを取得していない端末局２０の受信を排除できるという効果が得られる。
【００６０】
実施の形態４．
データ配信が終了すると、搬送波Ｗｃｄが断状態になって端末局２０は同期のとれない状態になる。この他にも、例えば障害物や天候など外的要因によって搬送波Ｗｃｄが瞬断したり所要受信レベルが低下した場合も、端末局２０で同期の取れない状態になる。この実施の形態４では、データ配信終了による断状態から同期を復旧させる手法について説明する。なお、この実施の形態４によるデータ配信システムは、実施の形態１（図１）と同様の構成であるため図示を省略する。
【００６１】
次に動作について説明する。
送信局１０では、エンコーダ部１１−１〜１１−ｎが映像や音声などのメディアデータを符号化し、それぞれ符号化ストリームＣ１〜Ｃｎを多重部１３へ出力する。また、制御データ生成部１２は、端末局２０の通信チャネルを制御するための制御データＤを生成する。ここでは、搬送波Ｗｃｄの搬送波周波数Ｆｃｄ，伝送帯域ΔＦｃｄを制御データＤによって端末局２０へ通知するものとする。多重部１３は符号化ストリームＣ１〜Ｃｎと制御データＤとを多重して１本の多重ストリームＳｃｄを生成し、送信インタフェース部１４は多重ストリームＳｃｄを伝送路へ送信するために変調して搬送波Ｗｃｄを伝送路へ出力する。
【００６２】
端末局２０では、伝送路を介して搬送波Ｗｃｄを受信すると、受信インタフェース部２１が搬送波Ｗｃｄから所望の通信チャネルを選択し、さらに復調処理を実施して多重ストリームＳｃｄを出力する。分離部２２は多重ストリームＳｃｄから所望の符号化ストリームＣ１〜Ｃｎと制御データＤとを分離する。デコーダ部２３は分離部２２で分離した符号化ストリームＣ１〜Ｃｎを復号し、映像や音声などのメディアデータを出力する。
【００６３】
また、通信チャネル制御部２４は、分離部２２で分離した制御データＤに基づいて受信インタフェース部２１の通信チャネルを制御する。つまり、通信チャネル制御部２４は、搬送波Ｗｃｄの搬送波周波数Ｆｃｄ，伝送帯域ΔＦｃｄを制御データＤから認識して、受信インタフェース部２１の通信チャネルを調整する。
【００６４】
そして、データ配信終了や外的要因によって同期の取れない状態に陥ると、端末局２０の通信チャネル制御部２４は、断状態となった通信チャネルからデフォルト通信チャネルへ受信インタフェース部２１の受信を変更する。この実施の形態４では、デフォルト通信チャネルの搬送波周波数と伝送帯域とを予め設定しており、通信チャネルを復旧するための復旧用制御データＤ’がデフォルト通信チャネルを使って送信局１０から送信されている。
【００６５】
デフォルト通信チャネルへ受信インタフェース部２１の受信を変更した端末局２０では、通信チャネル制御部２４が受信インタフェース部２１，分離部２２を介して復旧用制御データＤ’を受け取り、復旧用制御データＤ’にしたがって通信チャネルを復旧するように、通信チャネル制御部２４が受信インタフェース部２１を制御する。このようにすることで、同期の取れない状態に陥ってしまった場合にも、端末局２０は正常な通信チャネルに復旧できるようになり、送信局１０からのデータ配信を確実に実施できるようになる。
【００６６】
なお、データ配信終了の場合と異なって、外的要因による同期の取れない状態は瞬間的な断状態（瞬断）の場合もあり、この瞬断は直に解消されるため、通信チャネルを変更するとかえってデータ配信に混乱を招いてしまう。この瞬断と、一定時間継続する断状態とを識別するために、端末局２０の通信チャネル制御部２４に断状態を判定する時間閾値を予め設定しておき、断状態が時間閾値を超えて継続する場合に、デフォルト通信チャネルへ受信を切り替えるようにしても良い。
【００６７】
以上のように、この実施の形態４によれば、送信局１０では、端末局２０に対して復旧用の通信チャネルを指定するための復旧用制御データＤ’をデフォルト通信チャネルへ送信するとともに、端末局２０では、同期の取れない状態に陥ると、デフォルト通信チャネルを通信チャネル制御部２４が受信インタフェース部２１に受信させて復旧用制御データＤ’を取得し、復旧用制御データＤ’の示す通信チャネルを通信チャネル制御部２４が受信インタフェース部２１に受信させるようにしたので、データ配信の終了によって搬送波の同期がとれなくなった場合にも、通信チャネルへ正常に移行できるという効果が得られる。
【００６８】
また、この実施の形態４によれば、端末局２０では、同期の取れない状態が時間閾値を超えて継続した場合に、通信チャネル制御部２４が受信インタフェース部２１にデフォルト通信チャネルを受信させるようにしたので、データ配信終了による搬送波の断状態と、外的要因による搬送波の瞬断状態とを識別でき、データ配信の混乱を防ぐことができるという効果が得られる。
【００６９】
実施の形態５．
この実施の形態５では、実施の形態４を踏まえて、デフォルト通信チャネルや断状態を識別する時間閾値を制御データＤで通知する手法について述べる。なお、この実施の形態５によるデータ配信システムは、実施の形態１（図１）と同様の構成であるため図示を省略する。
【００７０】
次に動作について説明する。
送信局１０では、エンコーダ部１１−１〜１１−ｎが映像や音声などのメディアデータを符号化し、それぞれ符号化ストリームＣ１〜Ｃｎを多重部１３へ出力する。また、制御データ生成部１２は、端末局２０の通信チャネルを指定するための制御データＤを生成するとともに、実施の形態４のデフォルト通信チャネルを指定するデフォルト指定データＺを生成し、制御データＤにデフォルト指定データＺを含めて多重部１３へ出力する。多重部１３は符号化ストリームＣ１〜Ｃｎと制御データＤとを多重して１本の多重ストリームＳｃｄを生成し、送信インタフェース部１４は多重ストリームＳｃｄを伝送路へ送信するために変調して搬送波Ｗｃｄを伝送路へ出力する。
【００７１】
端末局２０では、伝送路を介して搬送波Ｗｃｄを受信すると、受信インタフェース部２１が搬送波Ｗｃｄから所望の通信チャネルを選択し、さらに復調処理を実施して多重ストリームＳｃｄを出力する。分離部２２は多重ストリームＳｃｄから所望の符号化ストリームＣ１〜Ｃｎと制御データＤとを分離する。デコーダ部２３は分離部２２で分離した符号化ストリームＣ１〜Ｃｎを復号し、映像や音声などのメディアデータを出力する。
【００７２】
また、通信チャネル制御部２４は、分離部２２で分離した制御データＤに基づいて受信インタフェース部２１の通信チャネルを制御する。つまり、通信チャネル制御部２４は、搬送波Ｗｃｄの搬送波周波数Ｆｃｄ，伝送待機ΔＦｃｄを制御データＤから認識して、受信インタフェース部２１の通信チャネルを調整する。
【００７３】
そして、データ配信終了や外的要因によって同期の取れない状態に陥ると、端末局２０の通信チャネル制御部２４は、制御データＤ中のデフォルト指定データＺが指定するデフォルト通信チャネルへ断状態となった通信チャネルから受信インタフェース部２１の受信を変更する。以下、実施の形態４と同様に、デフォルト通信チャネルで復旧用制御データＤ’を受け取って、通信チャネルを復旧させる。
【００７４】
このように、デフォルト通信チャネルをデフォルト指定データＺによって指定することにより、例えば外的要因など不確定な要素のためにデフォルト通信チャネルを変更する必要が生じた場合にも柔軟に対応できるようになり、データ配信を確実に行なうことができる。
【００７５】
なお、実施の形態４で述べた断状態を識別する時間閾値もデフォルト指定データＺに含めるようにしても良い。このようにしても、同様の効果が得られる。
【００７６】
さらに、実施の形態１の末尾で述べたインデックスを使って、デフォルト指定データＺを生成するようにしても良い。つまり、デフォルト通信チャネル、時間閾値をインデックスによって指定することで、デフォルト指定データＺのデータ量を軽減することができる。
【００７７】
以上のように、この実施の形態５によれば、送信局１０では、端末局２０に対して復旧用の通信チャネルを指定するための復旧用制御データＤ’をデフォルト通信チャネルへ送信するとともに、端末局２０に対してデフォルト通信チャネルを指定するためのデフォルト指定データＺを制御データ生成部１２が制御データＤに含めて生成し、端末局２０では、同期の取れない状態に陥ると、デフォルト指定データＺの指定するデフォルト通信チャネルを通信チャネル制御部２４が受信インタフェース部２１に受信させて復旧用制御データＤ’を取得し、復旧用制御データＤ’の示す通信チャネルを通信チャネル制御部２４が受信インタフェース部２１に受信させるようにしたので、データ配信システムの混乱を回避できるという効果が得られ、デフォルト通信チャネルの変更にも柔軟に対応でき、データ配信を確実に行なうことができるという効果が得られる。
【００７８】
また、この実施の形態５によれば、送信局１０では、制御データ生成部１２が時間閾値をデフォルト指定データＺに含めて生成し、端末局２０では、時間閾値を超えて同期の取れない状態が継続した場合に、通信チャネル制御部２４が受信インタフェース部２１にデフォルト通信チャネルを受信させるようにしたので、データ配信終了による搬送波の断状態と、外的要因による搬送波の瞬断状態とを識別でき、デフォルト通信チャネルの変更にも柔軟に対応でき、データ配信を確実に行なうことができるという効果が得られる。
【００７９】
さらに、この実施の形態５によれば、送信局１０では、デフォルト通信チャネルに割り当てたインデックスによって、制御データ生成部１２がデフォルト指定データＺを生成し、端末局２０では、同期の取れない状態に陥ると、インデックスが割り当てられたデフォルト通信チャネルを通信チャネル制御部２４が受信インタフェース部２１に受信させるようにしたので、デフォルト指定データＺのデータ量を軽減できるという効果が得られる。
【００８０】
さらに、この実施の形態５によれば、送信局１０では、時間閾値に割り当てたインデックスによって、制御データ生成部１２がデフォルト指定データＺを生成し、端末局２０では、インデックスが割り当てられた時間閾値を超えて同期の取れない状態が継続した場合に、通信チャネル制御部２４が受信インタフェース部２１にデフォルト通信チャネルを受信させるようにしたので、デフォルト指定データＺのデータ量を軽減できるという効果が得られる。
【００８１】
【発明の効果】
以上のように、この発明によれば、データを符号化ストリームに符号化するエンコーダ部と、端末局に対して通信チャネルを指定するための制御データを生成する制御データ生成部と、符号化ストリームと制御データとを１本の多重ストリームに多重する多重部と、多重ストリームを通信チャネルへ送信する送信インタフェース部とから送信局が構成され、
送信局では、端末局に対して復旧用の通信チャネルを指定するための復旧用制御データをデフォルト通信チャネルへ送信するとともに、端末局に対してデフォルト通信チャネルを指定するためのデフォルト指定データ、またはデフォルト通信チャネルに割り当てたインデックスを制御データ生成部が制御データに含めて生成し、通信チャネルから多重ストリームを受信する受信インタフェース部と、受信インタフェース部で受信した多重ストリームから符号化ストリームと制御データとを分離する分離部と、分離部で分離した符号化ストリームからデータを復号するデコーダ部と、分離部で分離した制御データにしたがって、受信インタフェース部に通信チャネルを受信させる通信チャネル制御部とから端末局が構成され、端末局では、同期の取れない状態に陥ると、デフォルト指定データの指定するデフォルト通信チャネル、またはインデックスが割り当てられたデフォルト通信チャネルを通信チャネル制御部が受信インタフェース部に受信させて復旧用制御データを取得し、復旧用制御データの示す通信チャネルを通信チャネル制御部が受信インタフェース部に受信させるようにしたので、データ配信システムの混乱を回避できるという効果が得られ、デフォルト通信チャネルの変更にも柔軟に対応でき、データ配信を確実に行なうことができるという効果が得られ、インデックスを使った場合には、送信するデータ量を軽減できるという効果が得られる。
【００８９】
この発明によれば、送信局では、制御データ生成部が時間閾値、または時間閾値に割り当てたインデックスをデフォルト指定データに含めて生成し、端末局では、時間閾値、またはインデックスが割り当てられた時間閾値を超えて同期の取れない状態が継続した場合に、通信チャネル制御部が受信インタフェース部にデフォルト通信チャネルを受信させるようにしたので、データ配信終了による搬送波の断状態と、外的要因による搬送波の瞬断状態とを識別でき、デフォルト通信チャネルの変更にも柔軟に対応でき、データ配信を確実に行なうことができるという効果が得られ、インデックスを使った場合には、送信するデータ量を軽減できるという効果が得られる。
【図面の簡単な説明】
【図１】  この発明の実施の形態１によるデータ配信システムの構成を示す図である。
【図２】  搬送波ＷｃｄのスペクトルＸｃｄを模式的に示す図である。
【図３】  従来のデータ配信システムの構成を示す図である。
【図４】  変調信号ＷｃのスペクトルＸｃ，変調信号ＷｄのスペクトルＸｄ，搬送波Ｗｃ＋ＷｄのスペクトルＸｃ＋Ｘｄをそれぞれ模式的に示す図である。
【符号の説明】
１０  送信局、１１−１〜１１−ｎ  エンコーダ部、１２  制御データ生成部、１３  多重部、１４  送信インタフェース部、２０  端末局、２１  受信インタフェース部、２２  分離部、２３  デコーダ部、２４  通信チャネル制御部、Ｃ１〜Ｃｎ  符号化ストリーム、Ｄ  制御データ、Ｆｃｄ  搬送波周波数、Ｓｃｄ  多重ストリーム、Ｗｃｄ  搬送波、Ｘｃｄ  スペクトル、ΔＦｃｄ  伝送帯域。
【図１】
0003842106.tif 000002
【図２】
0003842106.tif 000003
【図３】
0003842106.tif 000004
【図４】
0003842106.tif 000005